(57)【要約】【課題】  本発明は、従来に比して一段と簡易かつ短時間で操作ボタン部をガタツキなく本体ケース２に取り付けられるようにする。【解決手段】  本発明は、各種操作ボタン４１〜４５と共に所定の大きさでなる触感識別用の盲人用凸部４６が一体形成された操作ボタン部４０と、各種操作ボタン４１〜４５を嵌め込んで表面３０Ｂから僅かに突出するように取り付けるための穴３１〜３４と共に、盲人用凸部４６を嵌め込んで表面３０Ｂから僅かに突出するための孔３７を有する本体ケース３０とを具え、操作ボタン部４０を本体ケース３０に取り付ける際、盲人用凸部４６を孔３７に嵌め込んで位置決めを行うと共に表面３０Ｂから盲人用凸部４６を突出させることにより、盲人用凸部を位置決めにも兼用することができるので、操作ボタン部をガタツキなくケース体に取り付けることができる。【選択図】        図８
2006004710.tif 000002
【特許請求の範囲】
【請求項１】
各種操作ボタンを有する電子機器であって、
上記各種操作ボタンと共に所定の形状及び大きさでなる凸部が一体形成された操作ボタン部と、
上記各種操作ボタンを嵌め込んで表面から僅かに突出するように取り付けるための穴と共に、上記凸部を嵌め込んで上記表面から僅かに突出するための孔を有するケース体と
を具え、
上記操作ボタン部を上記ケース体に取り付ける際、上記凸部を上記孔に嵌め込むことにより位置決めを行うと共に上記表面から突出した上記凸部を盲人用の触感識別用凸部として用いる
ことを特徴とする電子機器。
【請求項２】
上記凸部は、ボリュームつまみの＋側方向を示す
ことを特徴とする請求項１に記載の電子機器。
【請求項３】
上記筐体ケースは、上記ケース体と上記操作ボタン部とが嵌め込みだけで取り付けられる
ことを特徴とする請求項１に記載の電子機器。
【発明の詳細な説明】
【技術分野】
【０００１】
本発明は、電子機器に関し、例えばポータブルミニディスクプレーヤの操作ボタン部が本体ケースと一体に取り付けられる場合に適用して好適なものである。
【背景技術】
【０００２】
従来、電子機器の表面に取り付けられる操作パネルとして各種ボタンの表面に受動触において形状を認識し得るような突起部が設けられたものがある（例えば、特許文献１参照）。
【特許文献１】特開平9-213162号公報
【０００３】
また、簡単な構造でケース本体に装着可能な操作ボタンの保持構造を示したものがある（例えば特許文献２参照）。
【特許文献２】特開2000-276963公報
【０００４】
一方、図１３に示すようにポータブルミニディスクプレーヤ１においては、本体ケース２の周側面２Ａの所定位置に再生及び一時停止ボタン３、早送りボタン４、早戻しボタン５、停止ボタン６、グループボタン７等が僅かに突出した状態で設けられ、ユーザからの各種指示を受け付けるようになされている。
【０００５】
このポータブルミニディスクプレーヤ１は、本体ケース２の表面２Ｂの上端部にボリューム摘み８とホールド摘み９とが設けられ、例えばボリューム摘み８の＋側を押下することによりボリュームアップを行い、当該ボリューム摘み８の−側を押下することによりボリュームダウンを行うようになされている。
【０００６】
ここでボリューム摘み８には、ボリュームアップを行う＋側端部に円形状でなる所定高さの凸部８Ａがその表面に形成されており、この凸部８Ａの触感によってもいずれの側がボリュームアップ又はボリュームダウンであるかをユーザに認識させ得るようになされている。
【０００７】
図１４に示すように操作ボタン部１０は、再生及び一時停止ボタン３、早送りボタン４、早戻しボタン５、停止ボタン６、グループボタン７が一体化された構造を有しており、本体ケース２の裏面側から当該本体ケース２の穴に対して嵌め込まれる形で全体が取り付けられた際には、各種操作ボタン３〜７が当該本体ケース２の周側面２Ａから僅かに突出するようになされている。
【０００８】
また図１５に示すように操作ボタン部１０は、その裏側構造として再生及び一時停止ボタン３、早送りボタン４、早戻しボタン５、停止ボタン６、グループボタン７がユーザによって押下操作されたときに内部回路の電気的接点と接触させるためのボス１１がそれぞれ設けられている。
【０００９】
図Ｄに示すように本体ケース２は、当該本体ケース２の裏面側の構造として、本体ケース２の周側面２Ａに、操作ボタン部１０の各種操作ボタン３〜７を僅かに突出させた状態で取り付けるための穴１２〜１６が各種操作ボタンよりも僅かに大きく形成されていると共に、ボリューム摘み７及びホールド摘み８を本体ケース２の表面２Ｂから僅かに突出した状態で取り付けるための穴１７及び１８が形成されている。
【００１０】
実際上、作業者は、本体ケース２の裏面側から操作ボタン部１０を取り付けるに際し、最初に当該操作ボタン部１０を所定位置に位置決めするための所定サイズの両面テープ２０を本体ケース２の裏面側におけるホールド摘み８用の穴１８上の僅かなスペースに貼り付け、当該貼り付け後に両面テープ２０の剥離紙をピンセット等で剥がす。
【００１１】
その後、作業者は操作ボタン部１０の各種操作ボタン３〜７を穴１２〜１６に嵌め合わせた上で当該操作ボタン部１０の底面１０Ａ（図１４及び図１５）を両面テープ２０で貼り付けることによって位置決めした後、当該操作ボタン部１０を最終的に取り付けるようになされている。これにより図１７に示すように操作ボタン部１０は、本体ケース２の裏面側から穴１２〜１８に各種操作ボタン３〜７が全て嵌め込まれた状態で取り付けられることになる。
【００１２】
ここで、本体ケース２の穴１２〜１６は取付時の作業性向上の観点から操作ボタン部１０の各種操作ボタン３〜７よりも大きめに形成されているため、操作ボタン部１０が長手方向へ動いたときに穴１２〜１６の大きさの範囲内でガタツキが生じるので、これを防止し、かつ穴１２〜１６に対する中心位置（理想的な位置）に各種操作ボタン３〜７が取り付けられるようにするために両面テープ２０を用いて操作ボタン部１０を位置決めする必要がある。
【発明の開示】
【発明が解決しようとする課題】
【００１３】
ところでかかる構成のポータブルミニディスクプレーヤ１においては、本体ケース２に対して操作ボタン部１０を取り付けるためには、本体ケース２の裏面側の所定位置に必ず両面テープ２０を貼り付けなければならず、またピンセット等で両面テープ２０の剥離紙を剥がすといった煩雑な作業工程を要すると共に作業者の熟練した技術を要するという問題があった。
【００１４】
本発明は以上の点を考慮してなされたもので、従来に比して一段と簡易かつ短時間で操作ボタン部をガタツキなく本体ケース２に取り付け得る簡素な構造の筐体ケース及び電子機器を提案しようとするものである。
【課題を解決するための手段】
【００１５】
かかる課題を解決するため本発明においては、各種操作ボタンを有する電子機器であって、各種操作ボタンと共に所定の形状及び大きさでなる凸部が一体形成された操作ボタン部と、各種操作ボタンを嵌め込んで表面から僅かに突出するように取り付けるための穴と共に、凸部を嵌め込んで表面から僅かに突出するための孔を有するケース体とを具え、操作ボタン部をケース体に取り付ける際、凸部を孔に嵌め込むことにより位置決めを行うと共に表面から突出した凸部を盲人用の触感識別用凸部として用いることにより、当該触感識別用凸部を操作ボタン部の位置決めにも兼用することができるので、全体的に構造を簡素化し得ると共に操作ボタン部をガタツキなくケース体に取り付けることができる。
【発明の効果】
【００１６】
本発明によれば、各種操作ボタンと共に所定の大きさでなる凸部が一体形成された操作ボタン部と、各種操作ボタンを嵌め込んで表面から僅かに突出するように取り付けるための穴と共に、凸部を嵌め込んで表面から僅かに突出するための孔を有するケース体とを具え、操作ボタン部をケース体に取り付ける際、凸部を孔に嵌め込むことにより位置決めを行うと共に表面から突出した凸部を盲人用の触感識別用凸部として用いることにより、当該触感識別用凸部を操作ボタン部の位置決めにも兼用することができるので、全体的に構造を簡素化し得ると共に操作ボタン部をガタツキなくケース体に取り付けることができ、かくして従来に比して一段と簡易かつ短時間で操作ボタン部をガタツキなく本体ケース２に取り付け得る簡素な構造の電子機器を実現することができる。
【発明を実施するための最良の形態】
【００１７】
以下、図面について、本発明の一実施の形態を詳述する。
【００１８】
（１）本体ケースの外観構成
図１及び図２において、３０は全体として本発明のポータブルミニディスクプレーヤにおける本体ケースの表面側構造及び裏面側構造を示し、内部回路を収納するためのスペースが設けられた薄板状の金属製部材によって形成されている。
【００１９】
この本体ケース３０には、その周側面３０Ａに、後述する操作ボタン部の各種操作ボタンを当該周側面３０Ａから僅かに突出させた状態で取り付けるための所定形状でなる穴３１〜３４が各種操作ボタンよりも僅かに大きく形成されている。
【００２０】
また本体ケース３０には、後述するボリューム摘み及びホールド摘みを本体ケース２の裏面３０Ｂから僅かに突出した状態で取り付けるためのボリューム摘み用穴３５及びホールド摘み用穴３６が形成されている。
【００２１】
さらに本体ケース２には、ボリューム摘み用穴３５及びホールド摘み用穴３６との中間でボリューム摘み用穴３５寄りの所定位置に、ボリューム摘みにおけるボリューム音量アップ方向を示す盲人用凸部を表面３０Ｂから突出した状態で取り付けるためで、かつ操作ボタン部を取り付ける際の位置決めに用いられる孔３７が設けられている。
【００２２】
（２）操作ボタン部の構造
図３に示すように操作ボタン部４０は、再生及び一時停止ボタン４１、早送りボタン４２、早戻しボタン４３、停止ボタン４４、グループボタン４５が一体化された構造を有しており、本体ケース３０の裏面３０Ｃ側から当該本体ケース３０の穴３１〜３４に対して嵌め込まれる形で全体が取り付けられた際に当該各種操作ボタン４１〜４５が当該本体ケース３０の周側面３０Ａから僅かに突出するべく所定の高さをもって形成されている。
【００２３】
また操作ボタン部４０は、各種操作ボタン４１〜４５が形成されている面とほぼ９０度直交する底面４０Ａの所定位置に本体ケース３０の孔３７と対応する盲人用凸部４６が形成されている。
【００２４】
操作ボタン部４０は、当該盲人用凸部４６と当該本体ケース３０の孔３７とが嵌め合わされると同時に本体ケース２の穴３１〜３４に対して各種操作ボタン４１〜４５が嵌め合わされ、これにより当該操作ボタン部４０が所定位置に位置決めされて本体ケース２と一体に取り付けられることになる。
【００２５】
ここで盲人用凸部４６とは、電子機器等において各種操作子の種類を示したり、操作ボタンの方向（例えばボリューム摘みにおける音量アップ又は音量ダウンの方向）を示す際に設けられる触感認識可能な凸部であり、具体的には頭部が直径約０．８[mm]以上の半球でなり、その高さ約０．３[mm]以上で形成されるものである。
【００２６】
さらに操作ボタン部４０では、盲人用凸部４６の左側に、本体ケース３０と取り付けられた際にボリューム摘み４９を保持するためのボリューム摘み保持空間４７が形成されると共に、当該盲人用凸部４６の右側にはホールド摘み５０を保持するためのホールド摘み保持空間４８が形成されている。
【００２７】
ボリューム摘み４９及びホールド摘み５０は、本体ケース３０のボリューム摘み用穴３５及びホールド摘み用穴３６（図１及び図２）に嵌め合わされた状態で、操作ボタン部４０が本体ケース２に取り付けられた際には当該本体ケース３０と挟み込まれる形でボリューム摘み保持空間４７及びホールド摘み保持空間４８に収納されるようになされている。
【００２８】
なおボリューム摘み４９は、ボリューム摘み保持空間４７に収納される際には当該ボリューム摘み４９の中央に設けられたピン状の軸支持部４９Ａ及び４９Ｂが当該ボリューム摘み保持空間４７の中央に設けられた凹部４７Ａ及び４７Ｂに支持され、当該軸支持部４９Ａ及び４９Ｂを軸中心として回動し得るようになされている。
【００２９】
図４に示すように操作ボタン部４０は、その裏側構造として再生及び一時停止ボタン４１、早送りボタン４２、早戻しボタン４３、停止ボタン４４、グループボタン４５がユーザによって押下操作されたときに内部回路の電気的接点と接触させるために突出したボス５１〜５５がそれぞれ設けられている。
【００３０】
（３）ボリューム摘みの構造
図５（Ａ）及び（Ｂ）に示すようにボリューム摘み４９は、中央に凹みのある細長い操作子４９Ｃの背面４９Ｄに軸支持部４９Ａ及び４９Ｂが一体に取付固定されており、当該軸支持部４９Ａ及び４９Ｂを回動中心として操作子４９Ｃがシーソー状に回動可能な構成を有している。
【００３１】
これによりボリューム摘み４９が本体ケース２のボリューム摘み保持空間４７に収納され、当該ボリューム摘み保持空間４７の凹部４７Ａ及び４７Ｂに軸支持部４９Ａ及び４９Ｂが保持されると、当該ボリューム摘み保持空間４７の中で軸支持部４９Ａ及び４９Ｂを介して操作子４９Ｃがシーソーのように回動する。
【００３２】
（４）ホールド摘みの構造
図６に示すようにホールド摘み５０は、板状部材５０Ａの上に細長い摘み部分５０Ｂが一体に取付固定された形状を有しており、当該ホールド摘み５０全体がホールド摘み保持空間４８に収納され、当該ホールド摘み保持空間４８の範囲内で長手方向へ移動することにより板状部材５０Ａの背面側から突出した爪部５０Ｃを介して内部回路にホールド状態へ移行するか否かの命令を与えるようになされている。
【００３３】
なおホールド摘み５０は、本体ケース３０のホールド摘み用穴３６に嵌め込まれたときには、摘み部分５０Ｂだけが当該本体ケース３０の表面３０Ｂから僅かに突出するようになされている。
【００３４】
（５）取付過程
作業者は、図７及び図８に示すように、本体ケース２のボリューム摘み用穴３５及びホールド摘み用穴３６にボリューム摘み４９及びホールド摘み５０が嵌め合わされて仮止めされた状態で、本体ケース３０の裏面３０Ｃ側から当該本体ケース２の孔３７に操作ボタン部４０の盲人用凸部４６を嵌め合わせる。
【００３５】
このとき操作ボタン部４０の盲人用凸部４６は、当該操作ボタン部４０を本体ケース３０に取り付ける際の位置決め用としても兼用されていることにより、当該盲人用凸部４６と孔３７とが嵌め合わされるだけで、本体ケース２の穴３１〜３４に対する中心位置（理想的な位置）に操作ボタン部４０の各種操作ボタン４１〜４５が自動的に位置決めされて嵌め合わされるようになされている。
【００３６】
図９に示すように、操作ボタン部４０は本体ケース３０に取り付けられた結果、当該操作ボタン部４０の各種操作ボタン４１〜４５が本体ケース３０の周側面３０Ａから僅かに突出すると共に、ボリューム摘み４９及びホールド摘み５０についても周側面３０Ａから僅かに突出し、押下操作され易い状態になる。
【００３７】
また、図１０に示すように操作ボタン部４０は、本体ケース３０に取り付けられた結果、ボリューム摘み４９及びホールド摘み５０が操作ボタン部４０のボリューム摘み保持空間４７及びホールド摘み保持空間４８に収納されることになる。
【００３８】
これによりボリューム摘み４９は、ボリューム摘み保持空間４７に収納された状態で、当該ボリューム摘み保持空間４７の凹部４７Ａ及び４７Ｂに軸支持部４９Ａ及び４９Ｂが支持されて操作子４９Ｃが回動し得るようになされている。
【００３９】
またホールド摘み５０は、ホールド摘み保持空間４８の範囲内で長手方向に移動自在に取り付けられることにより、本体ケース３０の表面３０Ｂから僅かに突出した摘み部分５０Ｂがユーザによって操作され得るようになされている。
【００４０】
（６）取付状態
図１１に示すように操作ボタン部４０が本体ケース３０に取り付けられた状態では、操作ボタン部４０の盲人用凸部４６が本体ケース３の表面３０Ｂから約０．３[mm]程度突出することになる。
【００４１】
これにより本体ケース３０は、当該本体ケース３０の表面３０Ｂから突出した盲人用凸部４６をユーザの触感を通して認識させることができるので、当該盲人用凸部４６が存在する方のボリューム摘み４９の操作子４９Ｃ（図５）が音量アップ方向であることを当該ユーザに確認させ得るようになされている。
【００４２】
また本体ケース３０は、操作ボタン部４０の盲人用凸部４６を本体ケース３０の孔３７に嵌め合わさせることにより同時に位置決めを行うようになされているので、本体ケース３０の穴３１〜３４に操作ボタン部４０の各種操作ボタン４１〜４５を位置合わせするような手間を必要とせず、盲人用凸部４６と孔３７との組み合わせに応じて本体ケース３０の穴３１〜３４と操作ボタン部４０の各種操作ボタン４１〜４５との位置関係が一意に決定するようになされている。
【００４３】
すなわち操作ボタン部４０の各種操作ボタン４１〜４５については、盲人用凸部４６を基準とした所定の位置に所定の大きさで予め形成しておき、本体ケース３０の穴３１〜３４についても孔３７を基準とした所定の位置に所定の大きさ（各種操作ボタン４１〜４５よりも僅かに大きい）に形成しておくことにより、盲人用凸部４６と孔３７とが嵌め合わされたときに、本体ケース３０の穴３１〜３４に対する理想的な位置に操作ボタン部４０の各種操作ボタン４１〜４５が位置した状態で取り付けられることになる。
【００４４】
実際上、図１２（Ａ）に示すように従来の電子機器の取付状態では、操作ボタン部４０の盲人用凸部４６を本体ケース３０の孔３７に嵌め合わせることにより位置決めを兼ねるという発想がなかったため、仮に盲人用凸部４６が設けられていない操作ボタン部４０が本体ケース３０に取り付けられた場合には、本体ケース３０の穴３１〜３４に対して操作ボタン部４０の各種操作ボタン４１〜４５が位置ずれを起こして片寄りが生じ、最大０．２[mm]程度の隙間が発生しかねない状態であった。
【００４５】
しかしながら図１２（Ｂ）に示すように、本発明における本体ケース３０では、操作ボタン部４０の盲人用凸部４６を本体ケース３０の孔３７に嵌め合わさせることにより同時に位置決めをも兼ねる構造を有していることにより、本体ケース３０の穴３１〜３４に対して操作ボタン部４０の各種操作ボタン４１〜４５が位置ずれを起こすことがなく、穴３１〜３４に対する中心位置（理想的な位置）に各種操作ボタン４１〜４５が配置されることになる。
【００４６】
（７）動作及び効果
以上の構成において、本発明におけるポータブルミニディスクプレーヤは、ボリューム摘み用穴３５及びホールド摘み用穴３６との中間でボリューム摘み用穴３５寄りの所定位置に、ボリューム摘み４９における音量アップ方向を示す盲人用凸部４６を表面３０Ｂから突出させるためで、かつ操作ボタン部４０を取り付ける際の位置決めに用いられる孔３７が本体ケース３０に設けられており、その孔３７に盲人用凸部４６を嵌め合わせて操作ボタン部４０と本体ケース３０とを取り付ける。
【００４７】
この場合ポータブルミニディスクプレーヤは、本体ケース３０の所定位置に対して取り付けるための位置決めボスと、ボリューム摘み４９の音量アップ方向を示す目印との両方の役割を担う盲人用凸部４６が設けられた操作ボタン部４０を本体ケース３０に取り付けることになるので、作業者が盲人用凸部４６を本体ケース３０の孔３７に嵌め合わせるだけの簡単な操作で、本体ケース３０の穴３１〜３４に対する理想的位置に各種操作ボタン４１〜４５を位置させた状態で取り付けることができる。
【００４８】
その上、本体ケース３０の表面３０Ｂからは僅かに盲人用凸部４６が突出することになるので、従来のボリューム摘み８（図１３）のように当該ボリューム摘み８の表面に直接盲人用凸部８Ａを形成する必要がなくなり、当該ボリューム摘み４９のように本体ケース３のボリューム摘み用穴３５に嵌め込む際に作業者がボリューム摘み４９の方向性を気にすることなく装着することができるので、一段と作業性が向上する。
【００４９】
このように本発明におけるポータブルミニディスクプレーヤは、取付過程で、従来のような両面テープ２０を装着する手間を不要とし、操作ボタン部４０の盲人用凸部４６を本体ケース３０の孔３７に単純に嵌め合わせるといった簡単な操作だけで取付時の作業性を大幅に向上し得、従来に比して一段と簡易かつ短時間で操作ボタン部４０をガタツキなく本体ケース３０に取り付けることができる。
【００５０】
さらに本発明におけるポータブルミニディスクプレーヤは、本来位置決め用の孔３７は本体ケース３０の表面３０Ｂから見えることは本来望ましくないものであり、本体ケース３０の内側に隠すように、かつ貫通することのないように形成すべきものであるが、盲人用凸部４６の孔３７としての役割をも有しているため、孔３７が外観上のデザインを損ねることもなく、かつ本体ケース３０の内側空間における省スペース化にも貢献することができる。
【００５１】
以上の構成によれば、本発明におけるポータブルミニディスクプレーヤは、本体ケース３０に形成された孔３７に対し、操作ボタン部４０の盲人用凸部４６を嵌め合わせることにより、当該操作ボタン部４０の各種操作ボタン４１〜４５を本体ケース３０の穴３１〜３４に対する理想的な位置に直接取り付けることができると同時に、ボリューム摘み４９の音量アップ方向を示す盲人用凸部４６を本体ケース３０の表面３０Ｂに突出させることができる。
【００５２】
（８）他の実施の形態
なお上述の実施の形態においては、本発明の筐体ケースとして本体ケース３０に操作ボタン部４０を取り付けるようにした場合について述べたが、本発明はこれに限らず、本体ケース４０の上蓋となるカバー体に盲人用凸部４６を嵌め合わせる孔を設け、当該カバー体に操作ボタン部４０を取り付けるようにしても良い。
【００５３】
また上述の実施の形態においては、本体ケース３０におけるボリューム摘み用穴３５寄りの所定位置に孔３７を設け、操作ボタン部４０の所定位置に盲人用凸部４６を設けて互いに嵌め合わせるようにした場合について述べたが、本発明はこれに限らず、１組の孔３７及び盲人用凸部４６に加えて、本体ケース３０におけるホールド摘み５０のホールド側にも孔を設け、操作ボタン部４０の底面４０Ａの対応する位置にも第２の盲人用凸部を設けて互いに嵌め合わせるようにしても良い。
【００５４】
さらに上述の実施の形態においては、本発明を電子機器としてのポータブルミニディスクプレーヤに適用するようにした場合について述べたが、本発明はこれに限らず、ポータブルＣＤ(Compact Disc)プレーヤ、携帯電話機、ノートブック型パーソナルコンピュータ及びＰＤＡ(Personal Digital Assistant)等の操作ボタン部及び盲人用凸部を有する他の種々の電子機器に本発明を適用するようにしても良い。
【産業上の利用可能性】
【００５５】
本発明の電子機器は、例えば電子機器の本体ケースに操作ボタン部及び盲人用凸部を取り付けるその他種々の用途に適用することができる。
【図面の簡単な説明】
【００５６】
【図１】本発明における電子機器の本体ケース（表面側）の構造を示す略線的斜視図である。
【図２】本発明における電子機器の本体ケース（裏面側）の構造を示す略線的斜視図である。
【図３】本発明における操作ボタン部の表側構造を示す略線的斜視図である。
【図４】本発明における操作ボタン部の裏側構造を示す略線的斜視図である。
【図５】ボリューム摘みの構造を示す略線的斜視図である。
【図６】ホールド摘みの構造を示す略線的斜視図である。
【図７】ボリューム摘みとホールド摘みが仮止めされた状態の説明に供する略線的斜視図である。
【図８】取付過程の説明に供する略線的斜視図である。
【図９】装着状態（表面側）を示す略線的斜視図である。
【図１０】装着状態（裏面側）を示す略線的斜視図である。
【図１１】盲人用凸部の断面構造を示す略線的断面図である。
【図１２】操作ボタンのクリアランスによる片寄り具合の比較に供する略線図である。
【図１３】従来の電子機器の構造を示す略線的斜視図である。
【図１４】従来の操作ボタン部の表側構造を示す略線的斜視図である。
【図１５】従来の操作ボタン部の裏側構造を示す略線的斜視図である。
【図１６】従来の本体ケースの裏面構造を示す略線的斜視図である。
【図１７】従来の本体ケースに取り付けられた操作ボタン部の様子の説明に供する略線的斜視図である。
【符号の説明】
【００５７】
１……ポータブルミニディスクプレーヤ、２、３０……本体ケース、３、４１……再生及び一時停止ボタン、４、４２……早送りボタン、５、４３……早戻しボタン、６、４４……停止ボタン、７、４５……グループボタン、１１、５１〜５５……ボス、３１〜３４……穴、３５……ボリューム摘み用穴、３６……ホールド摘み用穴、３７……孔、４０……操作ボタン部、４６……盲人用凸部、４７……ボリューム摘み保持空間４７、４８……ホールド摘み保持空間、４９……ボリューム摘み、５０……ホールド摘み。
【図１】
2006004710.tif 000003
【図２】
2006004710.tif 000004
【図３】
2006004710.tif 000005
【図４】
2006004710.tif 000006
【図５】
2006004710.tif 000007
【図６】
2006004710.tif 000008
【図７】
2006004710.tif 000009
【図８】
2006004710.tif 000010
【図９】
2006004710.tif 000011
【図１０】
2006004710.tif 000012
【図１１】
2006004710.tif 000013
【図１２】
2006004710.tif 000014
【図１３】
2006004710.tif 000015
【図１４】
2006004710.tif 000016
【図１５】
2006004710.tif 000017
【図１６】
2006004710.tif 000018
【図１７】
2006004710.tif 000019